(57)【要約】【課題】  側板が二重に重なる点を改良し、効率よい構造が実現できるとともに、既設の机の横に配置する際に容易に作業でき、取り外しも容易となる机上パネルの取付構造及び連結用の拡張ユニットを提供せんとする。【解決手段】  横方向に隣接して複数配置する机１Ａ、１Ｂ、１Ｃの天板１０Ａ、１０Ｂ、１０Ｃ上に連設される机上パネルの取付構造であり、既に机上パネルを既設した机１Ａ（１Ｂ）に隣接する机１Ｂ（１Ｃ）の天板１０Ｂにおける当該隣接する側と反対側の側端部１１に側板２０を取付部材３により着脱可能に立設し、棚板２１（２）又は背面板２２（２）の少なくとも一方を、前記側板２０に一端側を支持させ且つ他端側を前記既設の机天板１０Ａにおける側板２０に連結具４により着脱可能に取付けてなる。【選択図】        図１
2005066295.tif 000002
【特許請求の範囲】
【請求項１】
横方向に隣接して複数配置する机天板上に連設される机上パネルの取付構造であって、机上パネルを既設した机に隣接する机の天板における当該隣接する側と反対側の側端部に側板を取付部材により着脱可能に立設し、棚板又は背面板の少なくとも一方を、前記側板に一端側を支持させ且つ他端側を前記既設の机天板における側板に連結具により着脱可能に取付けてなる机上パネルの取付構造。
【請求項２】
前記取付部材を、側板の後端面にネジ止めされる垂直片と、該垂直片より机天板の側端面に沿った前方に折曲して延び当該側端面にネジ止めされる天板固定片とより構成してなる請求項１記載の机上パネルの取付構造。
【請求項３】
前記側板を机天板より前方に突出する奥行寸法に設定し、当該突出した側板下端部を前記机天板の前端部に係止する係止部材を設けてなる請求項１又は２記載の机上パネルの取付構造。
【請求項４】
請求項１〜３の何れか１項に記載の取付構造に用いる連結用の拡張ユニットであって、前記側板及び該側板に一端側を支持された棚板並びに背面板よりなり、前記棚板の下面に照明装置を設けるとともに、該棚板下面の前端部及び前記側板と連結される側と反対側の側端部に沿って、それぞれ前記照明装置を囲む高さを有する前枠部材及び側枠部材を下方に延設し、前記側板が取付部材により机天板の側端部に着脱可能に立設され、且つ前記側枠部材が連結具により既設の机天板における側板に着脱可能に取付けられる拡張ユニット。
【請求項５】
前記棚板及び背面板の幅寸法を、天板の幅寸法よりも側板一枚分の厚みだけ短く設定してなる請求項４記載の拡張ユニット。
【発明の詳細な説明】
【技術分野】
【０００１】  本発明は、学校、図書館等の自習用デスクの上棚の取付けに好適に採用される机上パネルの取付構造及び連結用の拡張ユニットに関する。
【背景技術】
【０００２】  従来、学校、図書館等の自習用デスクに関し、サイドパネルを脚体の上端部の凹部に固着した取付金具における天板の上方に突出する上端部に、パネルの凹所を位置させてビスにより固定したことにより、取付金具が大きく露出することを防止したものが提案されている（例えば、特許文献１参照。）。
また、机板の左右両端部で垂直に立ち上がった姿勢から外側に垂直に垂れ下った姿勢まで回動できるような隔壁板を設けることや、机板に設置された上置体の左右側壁から出し入れできる隔壁を設けることにより、使用者の気分等に応じて選択的に周囲の雰囲気から隔離された状態で使用できる机が提案されている（例えば、特許文献２、３参照。）。【０００３】  しかし、これら側板を有する机を横方向に複数連接する際、隣接する側板が二重となり効率が悪い上、既に設置された机の横にこれら机を隣接配置する際、隣接する側板が邪魔で、これら側板を後で取り付けることができず、机を隣に寄せる前にこれら側板等を天板上に予め取り付けておく必要があり、取付、取外しの際の作業性が悪かった。【０００４】
【特許文献１】  特開平１１−２６６９３６号公報
【特許文献２】  実開平６−３４５３１号公報
【特許文献３】  実開平６−３４５３０号公報
【発明の開示】
【発明が解決しようとする課題】
【０００５】  そこで、本発明が前述の状況に鑑み、解決しようとするところは、側板が二重に重なる点を改良し、効率よい構造が実現できるとともに、既設の机の横に配置する際に容易に作業でき、取り外しも容易となる机上パネルの取付構造及び連結用の拡張ユニットを提供する点にある。
【課題を解決するための手段】
【０００６】  本発明は、前述の課題解決のために、横方向に隣接して複数配置する机天板上に連設される机上パネルの取付構造であって、机上パネルを既設した机に隣接する机の天板における当該隣接する側と反対側の側端部に側板を取付部材により着脱可能に立設し、棚板又は背面板の少なくとも一方を、前記側板に一端側を支持させ且つ他端側を前記既設の机天板における側板に連結具により着脱可能に取付けてなる机上パネルの取付構造を構成した。【０００７】  ここで、前記取付部材を、側板の後端面にネジ止めされる垂直片と、該垂直片より机天板の側端面に沿った前方に折曲して延び当該側端面にネジ止めされる天板固定片とより構成してなるものが好ましい。【０００８】  また、前記側板を机天板より前方に突出する奥行寸法に設定し、当該突出した側板下端部を前記机天板の前端部に係止する係止部材を設けてなるものが好ましい。【０００９】  また、本発明は、上記取付構造に用いる連結用の拡張ユニットであって、前記側板及び該側板に一端側を支持された棚板並びに背面板よりなり、前記棚板の下面に照明装置を設けるとともに、該棚板下面の前端部及び前記側板と連結される側と反対側の側端部に沿って、それぞれ前記照明装置を囲む高さを有する前枠部材及び側枠部材を下方に延設し、前記側板が取付部材により机天板の側端部に着脱可能に立設され、且つ前記側枠部材が連結具により既設の机天板における側板に着脱可能に取付けられる拡張ユニットをも構成する。【００１０】  ここで、前記棚板及び背面板の幅寸法を、天板の幅寸法よりも側板一枚分の厚みだけ短く設定してなるものが好ましい。
【発明の効果】
【００１１】  以上にしてなる本願発明に係る机上パネルの取付構造及び連結用の拡張ユニットは、隣接する机同士で側板を共有でき、構造が効率化されるとともに取付／取り外しが容易で作業性が向上する。
【発明を実施するための最良の形態】
【００１２】  次に、本発明の実施形態を添付図面に基づき詳細に説明する。【００１３】  図１は、本発明に係る机を連設した全体構成を示し、図２は同じく側面図を示し、図中符号１Ａ、・・・は机、２Ａは基本ユニット、２Ｂは拡張ユニット、３は取付部材、４は連結具、５は係止部材をそれぞれ示している。【００１４】  本発明の机上パネルの取付構造Ｓは、図１に示すように、横方向に隣接して複数配置する机１Ａ、１Ｂ、１Ｃの天板１０Ａ、１０Ｂ、１０Ｃ上に連設される机上パネルの取付構造であり、既に机上パネルを既設した机１Ａ（１Ｂ）に隣接する机１Ｂ（１Ｃ）の天板１０Ｂにおける当該隣接する側と反対側の側端部１１に側板２０を取付部材３により着脱可能に立設し、棚板２１（２）又は背面板２２（２）の少なくとも一方を、前記側板２０に一端側を支持させ且つ他端側を前記既設の机天板１０Ａにおける側板２０に連結具４により着脱可能に取付けてなることを要旨としている。
本実施形態においては、机上パネルとして机天板上に側板２０、棚板２１、及び背面板２２が設けられており、側板２０は、図２に示すように天板１０Ａの奥行幅を
越えて前方に突出する奥行幅を有しており仕切板として有効に機能している。
尚、机１Ａ、・・・は、天板１０Ａ（１０Ｂ、１０Ｃ）とＬ型脚１３と幕板１４より構成されているが、その他の様々な机に適用することが可能である。【００１５】  机１Ａの机天板１０Ａに設けられる机上パネルは、後述の拡張ユニット２Ｂが連設される基本となるユニットを構成しており、当該基本ユニット２Ａは、図３及び図４に示すように、机天板１０Ａの左右側端部に対して着脱可能に立設される一対の側板２０、２０と、これら両側板２０、２０の上端部の間に架設される棚板２１と、両側板２０、２０の後部間に渡設される背面板２２とより構成されており、前記棚板２１及び背面板２２の横幅は、天板１０Ａの横幅よりも側板２０二枚分の厚みだけ短く設定されている。【００１６】  棚板２１の下面側には照明装置７が設けられ、該棚板下面の前端部及び拡張ユニット２Ｂが連設される側の側端部に沿って、それぞれ前記照明装置７を囲む高さを有する前枠部材２３及び側枠部材２４が下方に延設され、
・側枠部材２４には、側板２０の貫通孔２０ｂに連通する通孔２４ａが穿設され、後述の連結具４としてのナット４２に螺合する取付ボルト４１が挿通される
・両側板と背面板と棚板で形成された内部空間に、更なる仕切板や棚板、本立等を配設してもよい【００１７】  前記前枠部材２３には、照明装置７を点灯／消灯するためのスイッチ７０を備えたコントロールパネルとして機能し、また、該前枠部材２３の裏面側に対面する背面板２２の上部には、図示しない照明装置７等の配線コードのコード挿通孔が設けられ、使用しない場合には、適宜キャップで塞ぐことができるようになっている。【００１８】  前記基本ユニット２Ａの側方に連設される拡張ユニット２Ｂは、図５及び図６に示すように、天板１０Ｂの側端部１１に着脱可能に立設される側板２０と、該側板２０の上端部に一端支持された水平な棚板２１と、前記側板２０の後端部及び前記棚板２１の後端部に支持された背面板２２とより構成されており、前記棚板２１及び背面板２２の横幅は、天板１０Ｂの横幅よりも側板２０一枚分の厚みだけ短く設定されている。
棚板２１の下面側には、基本ユニット２Ａと同様の照明装置７が設けられており、該棚板下面の前端部及び左右側端部に沿って、それぞれ前枠部材２３及び側枠部材２４、２４が下方に延設され、各側枠部材２４には、側板２０の貫通孔２０ｂに連通する通孔２４ａが穿設され、後述の連結具４としてのナット４２に螺合する取付ボルト４１が挿通される。【００１９】  これら基本ユニット２Ａ及び拡張ユニット２Ｂの両側板と背面板と棚板で形成された内部空間には、更なる仕切板や棚板、本立等を配設することも可能である。
また、天板１０Ａ、１０Ｂ、１０Ｃの横幅はそれぞれ同一に設定しているが、本発明はこれに限らず異なる横幅を有する天板にも適用でき、この場合、各ユニットの横幅も対応する天板の横幅に応じて互いに異なる寸法に設定されることになる。【００２０】  これら各ユニットの側板２０を天板に着脱可能に立設する取付部材３は、図７及び図８に示すように、側板２０の後端面２０ａにネジ止めされる垂直片３１と、該垂直片３１より机天板１０Ｂの側端面１２に沿った前方に折曲して延び当該側端面１２にネジ止めされる天板固定片３２とより構成されており、前記垂直片３１には、側板後端面２０ａに埋設した鬼目ナット８０、８０に螺合する取付ネジ８１、８１を挿通するための通孔３３、３３と、背面板２２の前記後端面２０ａに近隣した部位に埋設された鬼目ナット８２、８２に螺合する取付ネジ８３、８３を挿通するための通孔３４、３４とが穿設されており、該垂直片３１を介して一体化された状態で側板後端面２０ａ及び背面板２２が当該取付部材３の天板固定片３２により天板１０Ｂ上に固定され、取付後、前記取付ネジ８１、８３の頭部にはそれぞれカバー８４が装着される。【００２１】  また、前記天板固定片３２は、机天板１０Ｂの側端面１２に形設した凹溝１２ｂに係合する構造を有しており、具体的には、前記凹溝１２ｂの底部に突設した突起８６が嵌合する嵌合孔３５と、同じく底部に穿設したネジ孔８７に螺合する取付ネジ８５を挿通する通孔３６と、先端部を内方にＺ字型に屈曲形成し、前記凹溝１２Ｂの対応する位置に形設された係止孔８８に係合する係止爪部３７とより構成され、前記先端の係止爪部３７を係止孔８８に係合させた状態で前記突起８６を嵌合孔３５に嵌入させて当該天板固定片３２を凹溝１２ｂ内に密着させ、その状態で通孔３６に挿通した取付ネジ８５をネジ孔８７に螺合することで前記側端面１２に取り付けられる。
本実施形態ではこのように天板固定片３２を天板側端面に確実に固定できることから作業性が向上し、背面側が壁に密着した机に対しても当該机を移動させることなく効率よく取り付けることが可能となる。このように天板固定片３２を固定した側端面１２には、該固定片を隠蔽する化粧カバー１６が装着される。
尚、従来からと同様の取付具を用いて天板に固定することも勿論可能である。【００２２】  また、前記側板２０の前端側は、図２及び図９に示すように、天板１０Ｂよりも前方に突出した側板２０の下端部２０ｃを前記机天板１０Ｂの前端部１５に係止する係止部材５が設けられており、該係止部材５は、前記下端部２０ｃに設けられたネジ孔に螺合する取付ネジ８９を挿通する通孔５０が穿設された水平な側板固定片５１と、前端部１５の下面に密着するクッション材５３を上面に有し、該下面に係止される係止片５２と、当該天板１０Ｂの厚み分の長さを有し、前記側板固定片５１と係止片５２を連結する連結片５４とより略Ｚ字状に構成され、前記取付ネジ８９を締め付けて係止片５２を前端部１５の下面に密着させ、当該側板２０を天板１０Ｂに押付けて上方への浮き上がりや横方向へのずれを防止している。尚、前記係止片５２に締付ボルトを螺合し、該締付ボルトにより天板前端部１５をより強固に挟持しても良い。【００２３】  基本ユニット２Ａ又は拡張ユニット２Ｂを構成する側板２０、棚板２１及び背面板２２は、当接する端部同士を互いに引き付け連結する連結具９を用いて着脱可能に固定されており、これら連結具９は公知のもので良く、本実施形態では、図８において背面板２２と側板２０との連結で例示されるように、前記背面板２２の端面に開口し且つ側方へ延びた連結穴９１を形成するとともに、一側面に開口し且つ前記連結穴９１に連通した円形凹部９２を形成し、前記側板２０の鬼目ナット９０に先端を螺合した連結ピン９４の頭部９４ａを前記連結穴９１を貫通して円形凹部９２に臨ませ、そして該円形凹部９２に側方から挿入した回転締結具９３を頭部９４ａに係合させた状態で、一方向へ所定角度回転させることで前記連結ピン９４を引き付けて連結するものである。【００２４】  これら各ユニットが固定される机天板は、図１０に示すように、机の脚であるＬ型脚１３同士をクランプ具６にて挟持することで密着されており、各側板２０間の所定距離を維持して各ユニットの取り付けを確実としている。
本実施形態では、一端側に基本ユニット２Ａを配置し、該基本ユニット２Ａに対して一側方に各拡張ユニット２Ｂを順に連設してなる構成であるが、本発明はこれに限らず、基本ユニット２Ａに対して左右側方にそれぞれ拡張ユニット２Ｂを連設してもよく、これら基本ユニット及び拡張ユニットの数も特に限定されない。
【図面の簡単な説明】
【００２５】
【図１】  本発明の実施形態に係る机を連設した全体構成を示す正面図。
【図２】  同じく側面図。
【図３】  （ａ）は、本実施形態の基本ユニットを示す正面図、（ｂ）は同じく背面図。
【図４】  同じく側面図。
【図５】  （ａ）は、本実施形態の拡張ユニットを示す正面図、（ｂ）は同じく背面図。
【図６】  同じく側面図。
【図７】  （ａ）は取付部材を示す斜視図、（ｂ）は正面図、（ｃ）は側面図。
【図８】  本実施形態における机上パネルの取付構造の要部を示す分解斜視図。
【図９】  同じく取付構造の要部を示す斜視図。
【図１０】  クランプ具を示す斜視図。
【符号の説明】
【００２６】１Ａ、１Ｂ、１Ｃ  机
２Ａ  基本ユニット
２Ｂ  拡張ユニット
３  取付部材
４  連結具
５  係止部材
６  クランク具
７  照明装置
９  連結具
１０Ａ、１０Ｂ、１０Ｃ  天板
１１  側端部
１２  側端
１２ｂ  凹溝
１３  Ｌ型脚
１４  幕板
１５  前端部
１６  化粧カバー
２０  側板
２０ｂ  貫通孔
２０ｃ  下端部
２１  棚板
２２  背面板
２３  前枠部材
２４  側枠部材
２４ａ  通孔
３１  垂直片
３２  天板固定片
３３  通孔
３４  通孔
３５  嵌合孔
３６  通孔
３７  係止爪部
４１  取付ボルト
４２  ナット
５０  通孔
５１  側板固定片
５２  係止片
５３  クッション材
５４  連結片
７０  スイッチ
８０  鬼目ナット
８１  取付ネジ
８２  鬼目ナット
８３  取付ネジ
８４  カバー
８５  取付ネジ
８６  突起
８７  ネジ孔
８８  係止孔
８９  取付ネジ
９０  鬼目ナット
９１  連結穴
９２  円形凹部
９３  回転締結具
９４  連結ピン
９４ａ  頭部
【図１】
2005066295.tif 000003
【図２】
2005066295.tif 000004
【図３】
2005066295.tif 000005
【図４】
2005066295.tif 000006
【図５】
2005066295.tif 000007
【図６】
2005066295.tif 000008
【図７】
2005066295.tif 000009
【図８】
2005066295.tif 000010
【図９】
2005066295.tif 000011
【図１０】
2005066295.tif 000012